(57)【要約】    【課題】  建造物の上に群落を構成しているコケ類を一面に覆うまでの手間と時間の掛かる栽培管理を省き、かつ、建物への荷重負担を軽くでき、簡単に施工できる、コケ類固定粘着シート及びその製造方法を提供すること。    【解決手段】  群落を構成しているコケ類１を両面粘着シート３の一方の面に貼り付けたコケ類固定粘着シート５において、群落を構成しているコケ類１を両面粘着シート３の一方の面に０．０２〜０．１ＭＰａの圧着力にて貼り付ける。【選択図】  図１
2005192443.tif 000002
【特許請求の範囲】
【請求項１】
群落を構成しているコケ類を0.02〜0.1MPaの圧着力にて両面粘着シートの一方の面に貼り付けたことを特徴とするコケ類固定粘着シート。
【請求項２】
上記群落を構成しているコケ類をネットで包み上記両面粘着シートの一方の面に貼り付けたことを特徴とする請求項１記載のコケ類固定粘着シート。
【請求項３】
上記両面粘着シートの粘着剤厚さが0.1mm〜3mmであることを特徴とする請求項１乃至請求項２のいずれかに記載のコケ類固定粘着シート。
【請求項４】
上記コケ類固定粘着シートの吸水時重量が14.9kg/m２以下であることを特徴とする、請求項１乃至請求項３のいずれかに記載のコケ類固定粘着シート。
【請求項５】
群落を構成しているコケ類を両面粘着シートの一方の面に貼り付けたコケ類固定粘着シートの製造方法において、貼り付けの圧着力を0.02〜0.1MPaとしたことを特徴とするコケ類固定粘着シートの製造方法。
【発明の詳細な説明】
【技術分野】
【０００１】
本発明は建造物の屋上や壁面、法面等の緑化に適するコケ類固定粘着シートに関するものである。
【背景技術】
【０００２】
近年、地球温暖化現象が問題となっており、その原因として二酸化炭素等の地球温暖化ガスの排出量増加や都市部におけるヒートアイランド現象などが挙げられている。ヒートアイランド現象は、太陽光によって都市部の建造物や舗装等が熱せられ、都市部域が温度の高い状態で維持する現象であるが、建造物が太陽光によって直接熱せられることによって、その表面温度が気温よりもはるかに上昇し、これによって室内への熱侵入量が増加し、冷房時の電力を主としたエネルギー消費量が増加して地球温暖化現象を加速させている。さらに、この温度上昇は、日中と夜間のコンクリートの温度差によるコンクリートの伸縮によるひび割れによって建造物の寿命を短くすることにもなる。その対策として、建造物を緑化することが望まれている。
【０００３】
さらに、この都市部における緑化は、地球温暖化ガスである二酸化炭素の吸収を促し、地球温暖化を緩和する利点もある。このような建造物の緑化のうち、屋上緑化に関しては、従来、防水層の上に直接、或いは、シートを介して必ず盛土が必要となり、植栽物の種類による盛土量によって、重量増となる。このような盛土を必須とする屋上の緑化は、一般的に建造物への荷重負担となり、耐荷重性が低い建物の設計や改修工事には適さない。このために、軽量で施工が容易な緑化資材が望まれている。
【０００４】
さらには、景観上の観点から、壁面や道路の法面等、躯体剥きだしの人工構造物において、その表面を緑化しようとしている。これらにおいても、施工が容易で耐久性のある緑化資材が望まれていた。
【０００５】
一方、軽量緑化資材としては、芝生、セダム類が知られている。しかし、これらの植物はその生育に土壌が不可欠であるため、軽量なもので38〜42kg/m２、超軽量なものでも24kg/m２もあり、屋上で使用するには重量が問題となる。さらに、施工を容易にしたモジュール化したセダムであっても、施工には100m２当たり３〜５日を要する。近年において、軽量化のためには、多彩な種類を有するコケ植物を積極的に環境緑化において活用しようという試みがなされつつある。
【０００６】
コケ植物において、野山等に自生する群落体である自生種を見出して確保することは、環境破壊の問題があったが、コケの個々の配偶体、つまり植物体と仮根からなる元種苗体を採取して、栽培床に当該元種苗体を水平配列して、植物体中の休眠芽又は細胞の分裂を誘導覚醒することにより栽培体を養生することにより、大量に生産できるようになり、コケを資材として利用できるようになった。
【０００７】
また、コケ類は、一般に配偶体とその上部より出芽する胞子体とからなり、配偶体は葉状体または茎葉体と仮根とからなる。水分や養分は葉状体または茎葉体の表面から吸収し、仮根は水分や養分を吸収する役割を持たず、単に基物に植物体を固定させる能力のみを持つ。そのため、高等植物と異なり、コケが生育する上では養分や水分を補給するための土壌が不要である。また、乾燥に強く、生育に土壌が不要なコケ植物が屋上を始め、各用途に対する緑化材料として見直されている。
【０００８】
コケ類を緑化の資材として利用するためには、その形状に様々な工夫がなされている。特許文献１には、コケ植物配偶体が基板平面上に設けた縫製部によって固定されているコケ植物配偶体を含んでなる緑化用基板が記載されている。また、特許文献２には、粘着シート状支持体上に粘着剤層を設け、該粘着剤層上に蘚苔類植物を圧着してなることを特徴とする蘚苔類植物播種育苗用シートの記載がある。
【０００９】
コケ植物は、通常、その増殖の際には、群落を形成して、この群落を核として、周囲に広がっていくという特性を有している。そして、通常は、この群落の形成に長い時間がかかることも知られている。そのため、コケ類の困難な初期の栽培を省き、直ちにコケ類による緑化が行える資材として、コロニー状にコケ植物が束ねられた緑化用部材と、コケを束ねるために用いた部材をモクネジ等の方法で緑化を企図する対象に固着させる方法が特許文献３に記載されている。
【００１０】
特許文献４と特許文献５には、構造物に貼付した後、コケに散水することで緑化を達成できる簡便で施工性の良いコケ類固定粘着シートが記載されている。このコケ類固定粘着シートは、粘着シートの一方の面に液状の接着剤を塗工し、その上にコケを搭載し、硬化させる方法である
特許文献６には、「コンクリート表面に敷き詰めた苔シートは、雨水と日光により発育してコンクリート表面一杯に繁殖して覆うので、夏場の直射日光からの断熱材の役割でコンクリート表面温度は緩和され、合わせて、直下にある室内の温度も緩和されるので、冷房に要する電力量が節約できる作用がある。」とコケの緑化の効用が述べられている。
【００１１】
【特許文献１】特開平７−２２７１４２号公報
【特許文献２】特開平９−１８７１１３号公報
【特許文献３】再公表特許公報ＷＯ９９／３９５６４号
【特許文献４】特開２００１−２３４１３２号公報
【特許文献５】特開２００２−２６２６１０号公報
【特許文献６】特開２００２−１８６３５０号公報
【発明の開示】
【発明が解決しようとする課題】
【００１２】
特許文献１、特許文献２及び特許文献６においては、軽量な緑化資材としてコケ植物を用いるケースとして、コケ植物配偶体を基板上に播いたり、縫製や粘着剤で固定してシート化する緑化基板を作製する方法が記載されているが、コケの群落を解体し搭載しているため、コケ類によって定植面が緑色で覆われるまでに１〜２年を必要とし、その間、日照、湿度、通風、病害などに対する十分な管理を必要とした。また、緑化資材としての各基盤に固定する具体的な使用方法が記載されていない。
【００１３】
また、特許文献３には、簡便で施工性の良い方法が開示されていない。
【００１４】
また、特許文献４や特許文献５に記載の方法は、コケ植物の生育に有害な物を含まない接着剤の選定や、液状の接着剤をコケが確実に固定できる厚さ以上で、コケが埋没しない厚さ以下に均一に塗布するため手間が掛かる、また接着剤を室温で硬化させるため時間が掛かるなどの問題があり、より簡便な製造方法が求められていた。より簡便な方法として直接粘着テープに貼り付ける方法が考えられるが、具体的な方法は開示されておらず、簡単な試験では、貼りつきが悪かったり、コケが正常に生育できないことが分かった。
【００１５】
以上のように、生育に土壌基盤が不要なため、軽量化でき、乾燥に強く、栽培管理のたやすいコケ植物を用い、簡単に施工でき、容易に緑化できる緑化資材が求められていた。
【００１６】
本発明の目的は、上記従来技術の有していた課題を解決するもので、建造物の上に群落を構成しているコケ類を一面に覆うまでの手間と時間の掛かる栽培管理を省き、かつ、建物への荷重負担を軽くでき、簡単に施工できる、コケ類固定粘着シート及びその製造方法を提供することにある。特に、屋上緑化においては、屋上緑化によって、屋上のコンクリート表面温度変化を少なくした緑化資材を提供することにある。
【課題を解決するための手段】
【００１７】
本発明は、上記目的を達成するため、特許請求の範囲に記載のような構成とするものである。
【００１８】
すなわち、本発明は、群落を構成しているコケ類を0.02〜0.1MPaの圧着力にて両面粘着シートの一方の面に貼り付ける。
【００１９】
この場合、上記群落を構成しているコケ類をネットで包み上記両面粘着シートの一方の面に貼り付ける。
【００２０】
また、これらの場合、上記両面粘着シートの粘着剤厚さを0.1mm〜3mmとする。
【００２１】
また、これらの場合、コケ類固定粘着シートの吸水時重量を14.9kg/m２以下とする。
【００２２】
また、上記コケ類固定粘着シートの製造方法において、群落を構成しているコケ類を貼り付けの圧着力0.02〜0.1MPaにて両面粘着シートの一方の面に貼り付ける。
【発明の効果】
【００２３】
本発明は、群落を構成しているコケ類を0.02〜0.1MPaの圧着力にて両面粘着シートの一方の面に貼り付けてあるから、コケの生育に悪影響を与えることなく、コケを長期間しっかりと保持することができる。
【００２４】
この場合、上記群落を構成しているコケ類をネットで包み上記両面粘着シートの一方の面に貼り付けてあるから、両面粘着シートへの接着工程での取扱いが容易になり、また、屋上の防水層に貼付させた後、鳥がコケを啄ばんだりすること等によるコケの脱落を防ぐことができる。
【００２５】
また、これらの場合、上記両面粘着シートの粘着剤厚さが0.1mm〜3mmであるから、コケ類固定粘着シートの被着体への貼付状態が長期間良好であり、また、コケが浮くようなことはない。
【００２６】
また、これらの場合、コケ類固定粘着シートの吸水時重量が14.9kg/m２以下であるから、軽量での屋上緑化が可能である。
【００２７】
また、上記コケ類固定粘着シートの製造方法において、群落を構成しているコケ類を貼り付けの圧着力0.02〜0.1MPaにて両面粘着シートの一方の面に貼り付けてあるから、容易にコケを建造物に貼付ることができ、また、コケの生育に悪影響を与えることなく、コケを長期間しっかりと保持することができる。
【発明を実施するための最良の形態】
【００２８】
発明者らは、群落を構成しているコケ類を両面粘着シートの一方の面に貼り付けてなるコケ類固定粘着シートを、貼り付けの圧着力を0.02〜0.1MPaとする製造方法により、長期間、コケ類の個体が脱落することなく、また、水分や養分の吸収を阻害することなく、また、長期間、コケを両面粘着シートの片面にしっかりと保持することが可能であることを見い出した。
【００２９】
本発明において、使用されるコケ類とは、蘚（セン）類と苔（タイ）類とツノゴケ類とを併せた総称であり、蘚（セン）類としては、ミズゴケ亜綱、クロゴケ亜綱、マゴケ亜綱（スギゴケ目、シッポゴケ目、ホンマゴケ目等）等が挙げられ、苔（タイ）類としては、ゼニゴケ目、フタマタゴケ目、ウロコゴケ目等が挙げられ、ツノゴケ類としては、ツノゴケ綱が挙げられる。これらを屋上で日光が直接当たる場所や、壁等により半日陰になる場所等の使用環境に合せて任意に適用することが出来る。特に、養殖栽培が広く行われているもので、乾燥に非常に強く、日向または半日陰で生育する、スギゴケ、スナゴケ、ハイゴケが望ましいが、これらに限定されることはない。
【００３０】
コケ類は、一般に、配偶体とその上部より出芽する胞子体とからなり、配偶体は葉状体または茎葉体と仮根（生長した配偶体の基部から出た根）とからなる。水分や養分は葉状体または茎葉体の表面から吸収し、仮根は水分や養分を吸収する役割は持たず、単に基物に植物体を固定させる能力のみを持つ。このため、群落（多数の個体が生長し密集したもの）を構成しているコケ類において、本発明の手段により、仮根を含む配偶体の基部を両面粘着シートの一方の面に固定することにより、コケ類の個体が脱落することなく、また、水分や養分の吸収を阻害することなく、両面粘着シート上にコケ類の群落を形成させることができる。
【００３１】
先に述べたコケ植物配偶体を基盤上に播いたり、縫製や粘着剤で固定してシート化する緑化基盤によるコケ類の定植方法では、生育しているコケ類の配偶体を刈り取り、乾燥させ、これを種の替わりとして、粘着シートあるいは基盤紙上に固定している。そのため、生育時のコケ類の群落は既に失われている。
【００３２】
そして、従来の方法では、適度な方法で上記コケ類の定植用部材を載せ、その上から、保水材として、砂を上記コケ類の定植用部材が隠れるまで覆土し、散水する。その後、散水を行い、水分を保つことで、コケ類の配偶体から新芽が発芽し、約１ヶ月で覆土した砂から新芽が出芽し始める。その後、過湿にならない程度に毎日散水を行う。更に、２〜３ヶ月経過後、発芽したコケ類の配偶体がある程度生長してくると、適度な散水のみによって栽培が可能となるが、コケ類がもとの群落を形成するまで、２〜３年かかっていた。
【００３３】
これに対して、本発明では、育苗箱で栽培したコケ類を、刈り取らず、群落を維持したままの状態で、栽培に要した砂等を取り除いた後、両面粘着シート上に固定させる。そのため、散水後、直ちにもとの状態に戻り、緑化が早く行える。また、群落自体が互いに保水材の役割を果たすため、本発明のコケ類固定粘着シートでは砂等の保水材を必要としない。
【００３４】
また、網目３〜１０mmのネットで群落を維持したままのコケ類を覆い、縫製、粘着テープ、ステープル等で包みこんでから、両面粘着テープに接着することができる。群落を構成したコケをネットで包むと、両面粘着シートへの接着工程での取扱いが容易になり、また、屋上の防水層に貼付させた後、鳥がコケを啄ばんだりすること等によるコケの脱落を防ぐことができる。
【００３５】
防水層とコケを接着させるための両面粘着シートの粘着剤は、天然ゴム、ポリイソプレンゴム、スチレンブタジエンスチレンゴム（SBS）、スチレンイソプレンスチレンゴム（SIS）、ブチルゴムなどを主成分とするゴム系粘着剤、アクリル酸エステル共重合体からなるアクリル系粘着剤およびシリコーンゴムとシリコーンレジンからなるシリコーン系粘着剤がある。屋外で使用するため耐候性の良いブチルゴム系粘着剤、アクリル系粘着剤が望ましいが、これらに限定されることはない。また、各面の粘着剤は、同一であっても、異なっていても良い。
【００３６】
この粘着剤の厚さは、コケと被着体との接着力に影響し、0.1〜3mmが優れている。粘着剤の厚さが0.1mm未満の場合、粘着力が低下し、コケ類固定粘着シートが被着体から浮いたり、コケ浮きが起こる。また、粘着剤の厚さが3mmを超える場合、コスト的に不利になる。
【００３７】
本発明で、コケの群落を建造物等の被着体に貼付けるには、コケ類固定粘着シートを圧着することで容易に達成でき、コケ類の個体が脱落することがない。
【００３８】
群落を構成しているコケ類を両面粘着シートの一方の面に貼り付ける際の貼り付けの圧着力としては、0.02〜0.1MPaの範囲にあることが好ましい。貼り付けの圧着力が0.02MPa未満の場合、コケをきちんと保持できず、0.1MPaを超えるとコケの生育に悪影響を及ぼす。
【００３９】
通常、コケ類は他の高等植物とは異なり、水分が欠乏すると葉状体が閉じて、乾燥状態のまま長期間休眠状態で生存することができる。従って、本発明のコケ類固定粘着シートを被着体に貼り付け、水を与えると、吸水し、即座に活発な生命活動を再開する。
【００４０】
本発明のコケ類固定粘着シートにより、コケを容易に建造物表面に貼付ることができるが、このコケ類固定粘着シートは、軽量であることが要求される。コケ類固定粘着シートの重量としては、吸水時重量が14.9kg/m２以下が好ましい。
【００４１】
以下に、コケ類固定粘着シートの製造方法と、この製造方法によって得られたコケ類固定粘着シートを各種被着体に貼り付けた効果を評価した。
[実施例]
本発明のコケ類固定粘着シートとその製造方法について、実施例によって具体的に説明する。ただし、本発明のコケ類固定粘着シートとその製造方法は、これに限定されるものではない。
【００４２】
本発明のコケ類固定粘着シートを作製するに先立ち、下記の各種両面粘着シートを作製した。
【００４３】
アクリル系粘着剤を粘着剤厚さが0.10mmになるように剥離紙上に塗工し、ポリウレタンフォームシート(厚さ0.42mm)の両面に貼り合わせて、両面粘着シートNo.1を得た。
【００４４】
また、アクリル系粘着剤を粘着剤厚さが0.25mmになるように剥離紙上に塗工し、両面粘着シートNo.2得た。
【００４５】
また、アクリル系粘着剤を粘着剤厚さが0.05mmになるように剥離紙上に塗工し、ポリエチレン発泡体シート(厚さ1.0mm)の両面に貼り合わせて、両面粘着シートNo.3を得た。
【００４６】
また、アクリル系粘着剤を粘着剤厚さが0.05mmになるように剥離紙上に塗工し、両面粘着シートNo.4得た。
【００４７】
また、ブチル系粘着剤として、No.5938((株)スリオンテック製；粘着剤厚さは0.50mm)及びNo.5933((株)スリオンテック製；粘着剤厚さは3.0mm)を、それぞれ両面粘着シートNo.5及び両面粘着シートNo.6として用いた。
【００４８】
〔実施例１〕
ヤシガラマットを敷いた育苗箱に、播きゴケを行い砂を被せ、約１年間栽培した。このヤシガラマット上に群落が形成されたスナゴケを乾燥する。次いで、配偶体基部から、栽培時に散布した砂やゴミ等を取り除き、ヤシガラマット上に生育した群落を維持したままスナゴケを、両面粘着シートNo.1上に載せ、表１に示す圧着力と時間で圧着して、コケ類固定粘着シートを得た。図１にコケ類固定粘着シート５の模式図を示す。次に、両面粘着シート３の群落を構成しているコケ類１が貼り付られた面と反対側の面にある剥離シート４を除去し、これを30cm×30cmのコンクリート基板に貼付し、ローラーで圧着してコケに覆われた基板を得た。これを3ヶ月生育させて生育状況をみた。一方、粘着シート化によるコケの生育への影響をみるために、圧縮処理したコケ類固定粘着シートから、頂部より1cmの長さに切断した緑色のコケの葉茎体を、湿ったろ紙を敷いたシャーレに100個体置き、20℃、昼/夜＝12/12時間のインキュベータ内で栽培し、3ヶ月後に新芽を発芽している葉茎体の割合を求めた。表１にその結果を示す。0.02MPa未満の圧着力ではコケをきちんと保持できず、0.1MPaを超えるとコケの生育に影響が現れた。
【００４９】
【表１】
2005192443.tif 000003
〔実施例２〕
綿布を敷いた育苗箱に、播きゴケを行い砂を被せ、約１年間栽培した。この綿布上に群落が形成されたスナゴケを乾燥する。次いで、配偶体基部から、栽培時に散布した砂やゴミ等を取り除き、綿布上に生育した群落を維持したままスナゴケを、両面粘着シートNo.1上に載せ、表２に示す圧着力と時間で圧着して、コケ類固定粘着シートを得た。次に、このコケ類固定粘着シートの反対面の剥離シートを除去し、これを30cm×30cmのコンクリート基板に貼付し、ローラーで圧着してコケに覆われた基板を得た。これを3ヶ月生育させて生育状況をみた。一方、粘着シート化によるコケの生育への影響をみるために、圧縮処理したコケ類固定粘着シートから、頂部より1cmの長さに切断した緑色のコケの葉茎体を、湿ったろ紙を敷いたシャーレに100個体置き、20℃、昼/夜＝12/12時間のインキュベータ内で栽培し、3ヶ月後に新芽を発芽している葉茎体の割合を求めた。表２にその結果を示す。0.02MPa未満の圧着力ではコケをきちんと保持できず、0.1MPaを超えるとコケの生育に影響が現れた。
【００５０】
【表２】
2005192443.tif 000004
〔実施例３〕
綿布を敷いた育苗箱に、播きゴケを行い砂を被せ、約１年間栽培した。この綿布上に群落が形成されたスナゴケを乾燥する。次いで、配偶体基部から、栽培時に散布した砂やゴミ等を取り除き、綿布上に生育した群落を維持したままスナゴケを各種両面粘着シート上に載せ、0.03MPaで15s圧着し、コケ類固定粘着シートを得た。次に、このコケ類固定粘着シートの反対面の剥離シートを除去し、これをコンクリート基板と鋼板とに貼付し、ローラーで圧着してコケに覆われた基板を得た。この粘着力を測定した結果並びに1年後の貼付き状態及びコケの状態を評価した結果を表３に示す。いずれも基板上に固定されていたが、粘着剤の厚さが0.1mm未満の場合には、1年後、コケややが浮いていた。また、0.1mm以上の粘着剤厚さであれば、浮きも見られなかった。なお、鳥による啄み痕が若干みられた。また、コケ類固定粘着シートに繰返し散水して十分に水を吸収した吸水時重量も表３に示す。軽量緑化材料として知られる、芝生、セダム類はその生育に土壌が不可欠であるため、軽量なもので38〜42kg/m２、超軽量なものでも24kg/m２もあるので、これと比較すると本発明のコケ類固定粘着シートは極めて軽量な緑化資材である。
【００５１】
【表３】
2005192443.tif 000005
〔実施例４〕
ヤシガラマットを敷いた育苗箱に、播きゴケを行い砂を被せ、約１年間栽培した。このヤシガラマット上に群落が形成されたスナゴケを乾燥する。次いで、配偶体基部から、栽培時に散布した砂やゴミ等を取り除き、ヤシガラマット上に生育した群落を維持したままスナゴケを各種両面粘着シート上に載せ、0.03MPaで15s圧着し、コケ類固定粘着シートを得た。次に、このコケ類固定粘着シートの反対面の剥離シートを除去し、これをコンクリート基板と鋼板とに貼付し、ローラーで圧着してコケに覆われた基板を得た。この粘着力を測定した結果並びに1年後の貼付き状態及びコケの状態を評価して表４に示す。いずれも基板上に固定されていたが、粘着剤の厚さが0.1mm未満の場合には、1年後、ややコケが浮いていた。また、0.1mm以上の粘着剤厚さであれば、浮きも見られなかった。なお、鳥による啄み痕が若干みられた。また、コケ類固定粘着シートに繰返し散水して十分に水を吸収した吸水時重量も表４に示す。軽量緑化材料として知られる、芝生、セダム類はその生育に土壌が不可欠であるため、軽量なもので38〜42kg/m２、超軽量なものでも24kg/m２もあるので、これと比較すると本発明のコケ類固定粘着シートは極めて軽量な緑化資材である。
【００５２】
【表４】
2005192443.tif 000006
〔実施例５〕
綿布を敷いた育苗箱に、播きゴケを行い砂を被せ、約１年間栽培し、つぎに綿布上に群落を形成したスナゴケを乾燥させる。次いで、スナゴケの配偶体基部から、栽培時に散布した砂やゴミ等を取り除き、綿布上に生育した群落を維持したまま、スナゴケを網目５mmのガラスネットで包み、各種両面粘着シート上に載せ、0.03MPaで15s圧着して、コケ類固定粘着シートを得た。次に、このコケ類固定粘着シートの反対面の剥離シートを除去し、これに表５に示すようにコンクリート基板と鋼板とに貼付し、ローラーで圧着してコケに覆われた基板を得た。この粘着力を測定した結果並びに1年後の貼付き状態及びコケの状態を評価して表５に示す。いずれも基板上に固定されていたが、粘着剤の厚さが0.1mm未満の場合には、1年後、ややコケが浮いていた。また、0.1mm以上の粘着剤厚さであれば、浮きも見られなかった。なお、鳥による啄み痕はなかった。
【００５３】
【表５】
2005192443.tif 000007
〔実施例６〕
ヤシガラマットを敷いた育苗箱に、播きゴケを行い砂を被せ、約１年間栽培した。このヤシガラマット上に群落が形成されたスナゴケを乾燥する。次いで、配偶体基部から、栽培時に散布した砂やゴミ等を取り除き、ヤシガラマット上に生育した群落を維持したままスナゴケを網目8mmのネットで包み、各種両面粘着シート上に載せ、0.03MPaで15s圧着して、コケ類固定粘着シートを得た。次に、このコケ類固定粘着シートの反対面の剥離シートを除去し、これに表６に示すようにコンクリート基板と鋼板とに貼付し、ローラーで圧着してコケに覆われた基板を得た。この粘着力を測定した結果並びに1年後の貼付き状態及びコケの状態を評価して表６に示す。いずれも基板上に固定されていたが、粘着剤の厚さが0.1mm未満の場合には、1年後、ややコケが浮いていた。また、0.1mm以上の粘着剤厚さであれば、浮きも見られなかった。なお、鳥による啄み痕はなかった。
【００５４】
【表６】
2005192443.tif 000008
〔実施例７〕
綿布を敷いた育苗箱に、播きゴケを行い砂を被せ、約１年間栽培した。この綿布上に群落が形成されたスナゴケを乾燥する。次いで、配偶体基部から、栽培時に散布した砂やゴミ等を取り除き、綿布上に生育した群落を維持したままスナゴケを、両面粘着シートNo.1上に載せ、0.03MPaで15s圧着して、コケ類固定粘着シートを得た。このコケ類固定粘着シートの反対面の剥離シートを除去し、コンクリート基板に貼付し、ローラーで圧着してコケに覆われたコンクリート基板を得た。このコンクリート基板上には予め粘着シートを貼る前に熱電対をおき、コンクリート基板とコケ類固定粘着シートとの間の温度を測れるようにした。このコケに覆われたコンクリート基板を散水後、太陽光下に晒し、コケ表面の温度、コケとコンクリート基板との間の温度を測定した。また、対照として、コケで覆っていないコンクリート基板を太陽光下に晒し、コンクリート基板表面の温度を測定した。結果は図２に示すように、コケ下の温度がコンクリート上の温度よりも大幅に低いことから、コケで覆うことによってコンクリート基板の表面温度が大幅に低下することが分かる。
【産業上の利用可能性】
【００５５】
以上説明したように、本発明の、群落を構成しているコケ類を固定したコケ類固定粘着シートは、施工が容易で、コケ類の個体が脱落することなく、また、水分や養分の吸収を阻害することなく、人工構造物上にコケ類の群落を形成させることができる。
【００５６】
また、本発明は、コケ類が生長するまでの栽培管理が省略でき、容易に緑化が達成され、かつ盛土を必要としない方法で人工構造物の軽量化を図ったコケ類での緑化養生が可能となるコケ類固定粘着シートであり、コンクリートの表面温度を抑えることができる。
【図面の簡単な説明】
【００５７】
【図１】コケ類固定粘着シートの断面の模式図である。
【図２】コンクリートに貼り付けた場合の温度変化を示す図である。
【符号の説明】
【００５８】
１・・・群落を構成しているコケ類、２・・・ヤシガラマット、３・・・両面粘着シート、４・・・剥離シート、５・・・コケ類固定粘着シート
【図１】
2005192443.tif 000009
【図２】
2005192443.tif 000010